(57)【特許請求の範囲】
【請求項１】
折版屋根の頂部に架設する逆Ｌ形材に折版屋根の谷間部に向けて設置する雪止め具において、前記逆Ｌ形材の水平部に掛止めする載置部と逆Ｌ形材の垂直部に沿って下方に形成する垂直板部とを具備する取付部材を設け、この取付部材の垂直板部には融雪排水口を多数設け、この取付部材の垂直板部の上側部に発条板の基部を固着し、この発条板の中央部には後側方向に弯曲した凹形弯曲部を形成し、この発条板の凹形弯曲部の凸形背側面部は前記取付部材の垂直板部の上側部中央に形成した外膨出部の凹形内側面部に嵌合圧着し、前記発条板の凹形弯曲部から続いて前側上方に形成した曲折凸部は前記逆Ｌ形材の垂直部の下方端縁部に係合して前記逆Ｌ形材の水平部及び垂直部に雪止め具を取付けるようにすることを特徴とする折版屋根谷部における雪止め取付具。
【発明の詳細な説明】
【技術分野】
【０００１】
本発明は、折版屋根谷部における雪止め取付具に関するものである。
【背景技術】
【０００２】
折版屋根における雪止め装置にあっては、折版屋根の頂上部に長尺のＬ形材を横架する場合のほか、折版屋根の谷間部において滑落雪を防止するために前記Ｌ形材に雪止め具を吊り下げる場合があり、次のような公知技術が認められる。
【先行技術文献】
【特許文献】
【０００３】
【特許文献１】特開平９−２８７２５８号公報
【特許文献２】特開２００６−２９１４８１号公報
【特許文献３】特開２００８−２３１８２８号公報
【特許文献４】特開２０１０−１４４３８２号公報
【０００４】
しかしながら、これらのうち特許文献１は折版屋根の谷間部に設置する雪止め具としては不十分なものであり、特許文献２は取付け構造が複雑で手数がかかるものであり、特許文献３はその逆Ｌ形材への取付け構造自体に強度上の弱点が認められるものであり、特許文献４は発条板と雪止め取付部材との関係に安定性と安全性を欠く欠点があるものであり、いずれの雪止め取付具にあっても、降積雪により大重量のかかる折版屋根の谷間部に設置すべき雪止め具としては課題が残っていたものである。
【発明の概要】
【発明が解決しようとする課題】
【０００５】
そこで、本発明は、従来の公知技術において認められる逆Ｌ形材への取付け関係を確実かつ強度の高いものにして、折版屋根の谷間部における雪止め効果を安定的かつ安全に発揮することができる雪止め取付具を提供することを目的とするものである。
【課題を解決するための手段】
【０００６】
本発明は、折版屋根の頂部に架設する逆Ｌ形材に折版屋根の谷間部に向けて設置する雪止め具において、前記逆Ｌ形材の水平部に掛止めする載置部と逆Ｌ形材の垂直部に沿って下方に形成する垂直板部とを具備する取付部材を設け、この取付部材の垂直板部には融雪排水口を多数設け、この取付部材の垂直板部の上側部に発条板の基部を固着し、この発条板の中央部には後側方向に弯曲した凹形弯曲部を形成し、この発条板の凹形弯曲部の凸形背側面部は前記取付部材の垂直板部の上側部中央に形成した外膨出部の凹形内側面部に嵌合圧着し、前記発条板の凹形弯曲部から続いて前側上方に形成した曲折凸部は前記逆Ｌ形材の垂直部の下方端縁部に係合して前記逆Ｌ形材の水平部及び垂直部に雪止め具を取付けるようにするものである。
【発明の効果】
【０００７】
本発明にあっては、発条板を、載置部と雪止め部から成る取付部材の内側部に設置し、発条板における凹形弯曲部とこれに続く前側上方の曲折凸部とは、凹形弯曲部の凸形外側面部が取付部材の雪止め部の外膨出部の凹内側面部に圧着固定することと相俟って、逆Ｌ形材の垂直部の外側面部及びその下端縁部に対し直接加圧力を発揮するものとなっているから、両部材の固定関係は強固なものとして良く安定し、折版屋根の谷間部における大重量の降積雪に対して雪止め効果を十分に発揮することができるのである。
【０００８】
また、折版屋根の谷間部に設置する取付部材の垂直板部には多数の融雪排水口を設けているから、谷部における融雪水は常に円滑に排水を行うことができるようになる。
【０００９】
また、折版屋根の内部には谷間部に設置した取付部材の垂直板部を通して融雪水が天井面に浸入するおそれは全くないようになる。
【図面の簡単な説明】
【００１０】
【図１】全体の外側部斜視図
【図２】全体の内側部斜視図
【図３】要部の作業開始時の一部切欠側面図
【図４】要部の作業途中時の一部切欠側面図
【図５】要部の作業終了時の側断面図
【発明を実施するための形態】
【００１１】
折版屋根の谷間部への本雪止め具の取付けのためには、図３乃至図５に示すように、本取付部材の載置部の掛止め端部をまず逆Ｌ形部材の水平部端部に掛止めした後、雪止め用の垂直板部を矢視方向にゆっくりと作動すれば、発条板の凹形弯曲部から続く曲折凸部とこれに続く前側ガイド部が逆Ｌ形材の垂直部の下端縁部に係合して止着する。
【００１２】
これによって、雪止め部の取付部材は逆Ｌ形材の外側面部と合体することになり、その内部においては発条板の中央部の凹形弯曲部の外側面部が、取付部材の垂直板部の外膨出部の内側面部に当接し圧着状態にある。
【実施例】
【００１３】
本発明は、屋根全体が凸凹形態に成る折版屋根の頂上部に架設される長尺の逆Ｌ形材（アングル材）の谷間部に設置するための雪止め取付具であり、図中、Ａは逆Ｌ形材を示し、その水平部はａ、その垂直部はｂに示す。
【００１４】
１は取付部材で、この取付部材は掛止め端部２を有する水平部３および雪止め用の垂直板部４から成る。このうち掛止め端部２を有する水平部３は逆Ｌ形材Ａの水平部ａに載置し、垂直板部４は逆Ｌ形材の垂直部ｂに圧接するようになる。
【００１５】
５は前記垂直板部４の上側中央部に形成する外膨出部で、この外膨出部の内側は凹形内側面部５’に成る。
【００１６】
６・・は前記垂直板部４の下側部に形成する融雪排水口で、折版屋根の谷間部における融雪を排水されるようにする。
【００１７】
前記取付部材１の水平部３及び垂直板部４の周縁部分や中央部分には、図１に示すように、補強用の形態を形成している。
【００１８】
７は発条板で、この発条板の上端部は前記取付部材１の垂直板部４の中央部上側部に固着８する。
【００１９】
９は前記発条板７の中央部に後側方向に弯曲折した凹形弯曲部で、この凹形弯曲部の凸形背面部は前記垂直板部４の外膨出部５の凹形内側面部５’に当接して嵌合圧着するようになる。
【００２０】
１０は前記発条板７の凹形弯曲部９から続いて前側上方に形成した曲折凸部で、この曲折凸部は前記逆Ｌ形材Ａの垂直部ｂの下端縁部に係合して止着するようになる。
【００２１】
１１は前記発条板７の曲折凸部１０から続き前側方に垂直に形成するガイド部で、このガイド部に指先を掛けて加力すれば発条板７は逆Ｌ形材の周囲から離脱するようになる。
【符号の説明】
【００２２】
１                    取付部材
２                    掛止め端部
３                    水平部
４                    垂直板部
５                    外膨出部
５’                  凹形内側面部
６・・                融雪排水口
７                    発条板
８                    固着部
９                    凹形弯曲部
１０                  曲折凸部
１１                  ガイド部
Ａ                    逆Ｌ形材（アングル材）
ａ                    水平部
ｂ                    垂直部
【図１】
0005766968.tif 000002
【図２】
0005766968.tif 000003
【図３】
0005766968.tif 000004
【図４】
0005766968.tif 000005
【図５】
0005766968.tif 000006